(57)【特許請求の範囲】
【請求項１】
光源からの光を光変調素子に照射し、その反射または透過光を投射レンズを介して投影することによって表示を行う投射表示手段と、
前記光源を冷却する冷却手段と、
装置全体の電源オフを指示する電源スイッチ手段と、
前記電源スイッチ手段による電源オフの指示に応じて前記光源用の電源をオフとする光源スイッチ手段と、
ネットワークを介して電子メールの送受信を行う通信手段とを有する投射型表示装置における光源冷却制御方法であって、
前記光源近傍の温度を検出する温度検出工程と、
前記電源スイッチ手段によって前記光源用の電源がオフされてからの経過時間を計測する時間計測工程と、
前記経過時間が所定時間経過した後の前記温度検出工程で検出された検出温度に基づいて、前記冷却手段による前記光源の冷却が正常終了したのか異常終了したのかを判断し、正常終了したと判断した場合には、正常終了した旨を示すメッセージを所定の宛先に送信し、異常終了したと判断した場合には、異常終了した旨を示すメッセージを前記所定の宛先に送信する送信工程であって、所定時間の経過後に、前記検出温度が所定値以下であれば前記冷却手段による前記光源の冷却が正常終了した旨を示す第１のメッセージを送信し、所定値以下でなければ前記光源の冷却が異常終了した旨を示す第２のメッセージを送信する送信工程と、
前記送信工程において前記第２のメッセージを送信した後に、該送信先からの開封確認が受信できなかった場合に警報を発する警報工程と
を有することを特徴とする光源冷却制御方法。
【請求項２】
さらに、前記送信工程において前記第１のメッセージを送信した後に、前記冷却手段を停止し、前記投射型表示装置全体の電源をオフとする終了工程を有することを特徴とする請求項１記載の光源冷却制御方法。
【請求項３】
さらに、前記通信手段によってサーバから所定情報を取得する情報取得工程を有し、
前記送信工程においては、前記所定情報に基づく宛先へ、前記第１及び第２のメッセージを送信することを特徴とする請求項１記載の光源冷却制御方法。
【請求項４】
光源からの光を光変調素子に照射し、その反射または透過光を投射レンズを介して投影することによって表示を行う投射表示手段と、
前記光源を冷却する冷却手段と、
装置全体の電源オフを指示する電源スイッチ手段と、
前記電源スイッチ手段による電源オフの指示に応じて前記光源用の電源をオフとする光源スイッチ手段と、
ネットワークを介して電子メールの送受信を行う通信手段とを有する投射型表示装置における光源冷却制御方法であって、
前記光源近傍の温度を検出する温度検出工程と、
前記電源スイッチ手段によって前記光源用の電源がオフされてからの経過時間を計測する時間計測工程と、
前記経過時間が所定時間経過した後の前記温度検出工程で検出された検出温度に基づいて、前記冷却手段による前記光源の冷却が正常終了したのか異常終了したのかを判断し、正常終了したと判断した場合には、正常終了した旨を示すメッセージを所定の宛先に送信し、異常終了したと判断した場合には、異常終了した旨を示すメッセージを前記所定の宛先に送信する送信工程であって、所定時間の経過後に、前記検出温度が所定値以下であれば前記冷却手段による前記光源の冷却が正常終了した旨を示す第１のメッセージを送信し、所定値以下でなければ前記光源の冷却が異常終了した旨を示す第２のメッセージを送信する送信工程と、
前記通信手段によってサーバから所定情報を取得する情報取得工程とを備え、
前記送信工程においては、前記所定情報に基づく宛先へ、前記第１及び第２のメッセージを送信し、
前記所定情報は、前記投射型表示装置が設置されている会議室の利用予約に関する情報である
ことを特徴とする光源冷却制御方法。
【請求項５】
光源からの光を光変調素子に照射し、その反射または透過光を投射レンズを介して投影することによって表示を行う投射表示手段と、
前記光源を冷却する冷却手段と、
装置全体の電源オフを指示する電源スイッチ手段と、
前記電源スイッチ手段による電源オフの指示に応じて前記光源用の電源をオフとする光源スイッチ手段と、
ネットワークを介して電子メールの送受信を行う通信手段とを有する投射型表示装置における光源冷却制御方法であって、
前記光源近傍の温度を検出する温度検出工程と、
前記電源スイッチ手段によって前記光源用の電源がオフされてからの経過時間を計測する時間計測工程と、
前記経過時間が所定時間経過した後の前記温度検出工程で検出された検出温度に基づいて、前記冷却手段による前記光源の冷却が正常終了したのか異常終了したのかを判断し、正常終了したと判断した場合には、正常終了した旨を示すメッセージを所定の宛先に送信し、異常終了したと判断した場合には、異常終了した旨を示すメッセージを前記所定の宛先に送信する送信工程であって、所定時間の経過後に、前記検出温度が所定値以下であれば前記冷却手段による前記光源の冷却が正常終了した旨を示す第１のメッセージを送信し、所定値以下でなければ前記光源の冷却が異常終了した旨を示す第２のメッセージを送信する送信工程と、
前記通信手段によってサーバから所定情報を取得する情報取得工程と、
前記投射型表示装置の使用中に、前記所定情報に基づく所定時刻に到達すると、前記光源スイッチ手段により前記光源用の電源をオフとする光源オフ工程とを備え、
前記送信工程においては、前記所定情報に基づく宛先へ、前記第１及び第２のメッセージを送信する
ことを特徴とする光源冷却制御方法。
【請求項６】
前記所定情報に基づく宛先は、前記投射型表示装置のユーザ及び管理者のアドレスであることを特徴とする請求項４又は５記載の光源冷却制御方法。
【請求項７】
前記送信工程においては、前記第１のメッセージを前記ユーザのアドレスへ送信し、前記第２のメッセージを前記ユーザ及び管理者のアドレスへ送信することを特徴とする請求項６記載の光源冷却制御方法。
【請求項８】
さらに、前記所定時刻に到達すると、前記投射型表示装置の使用が不可となる旨の警告メッセージを投射する警告投射工程を有し、
前記光源オフ工程においては、前記警告メッセージの投射から所定時間の経過後に前記光源スイッチ手段により前記光源用の電源をオフとすることを特徴とする請求項５記載の光源冷却制御方法。
【請求項９】
前記所定情報は、前記投射型表示装置が設置されている会議室の利用予約に関する情報であり、前記所定時刻は、会議室の予約終了時刻であることを特徴とする請求項５記載の光源冷却制御方法。
【請求項１０】
前記所定時間の経過後に、前記通信手段によって前記サーバからさらなる所定情報を取得し、当該会議の前記予約終了時刻に連続した会議がなければ、前記光源オフ工程を実行することを特徴とする請求項９記載の光源冷却制御方法。
【請求項１１】
光源からの光を光変調素子に照射し、その反射または透過光を投射レンズを介して投影することによって表示を行う投射表示手段と、
前記光源を冷却する冷却手段と、
装置全体の電源オフを指示する電源スイッチ手段と、
前記電源スイッチ手段による電源オフの指示に応じて前記光源用の電源をオフとする光源スイッチ手段と、
ネットワークを介して電子メールの送受信を行う通信手段と
を有する投射型表示装置であって、
前記光源近傍の温度を検出する温度検出手段と、
前記電源スイッチ手段によって前記光源用の電源がオフされてからの経過時間を計測する時間計測手段と、
前記経過時間が所定時間経過した後の前記温度検出手段で検出された検出温度に基づいて、前記冷却手段による前記光源の冷却が正常終了したのか異常終了したのかを判断し、正常終了したと判断した場合には、正常終了した旨を示すメッセージを所定の宛先に送信し、異常終了したと判断した場合には、異常終了した旨を示すメッセージを前記所定の宛先に送信する送信手段であって、所定時間の経過後に、前記検出温度が所定値以下であれば前記冷却手段による前記光源の冷却が正常終了した旨を示す第１のメッセージを送信し、所定値以下でなければ前記光源の冷却が異常終了した旨を示す第２のメッセージを送信する送信手段と、
前記送信手段において前記第２のメッセージを送信した後に、該送信先からの開封確認が受信できなかった場合に警報を発する警報手段と
を有することを特徴とする光源冷却制御装置。
【請求項１２】
光源からの光を光変調素子に照射し、その反射または透過光を投射レンズを介して投影することによって表示を行う投射表示手段と、
前記光源を冷却する冷却手段と、
装置全体の電源オフを指示する電源スイッチ手段と、
前記電源スイッチ手段による電源オフの指示に応じて前記光源用の電源をオフとする光源スイッチ手段と、
ネットワークを介して電子メールの送受信を行う通信手段と、
を有する投射型表示装置における光源冷却を制御するプログラムであって、
コンピュータに読み込まれて実行されることによって、前記投射型表示装置に対して請求項１乃至１０のいずれか１項に記載の光源冷却制御方法を実現することを特徴とする制御プログラム。
【請求項１３】
請求項１２記載のプログラムを記録した、コンピュータ読み取り可能な記録媒体。
【発明の詳細な説明】
【０００１】
【発明の属する技術分野】
本発明は、光源からの光を光変調素子に照射し、その反射または透過光を投射レンズを介して投影することによって表示を行う投射表示装置に関し、特に、光源及びその周辺に対する冷却制御に関する。
【０００２】
【従来の技術】
近年、パーソナルコンピュータ（PC）の普及に伴い、特に会議等におけるプレゼンテーション装置として投射型表示装置すなわちプロジェクタが使用される機会が増えつつある。プロジェクタはその投射方法によって、スクリーンの前面から投射するフロントプロジェクタや、スクリーンの背面から投射するリアプロジェクタに分類される。
【０００３】
一般にプロジェクタは、光源にてLCDやDMD等の光変調素子を照射し、光変調素子より透過または反射した光を投射レンズを通して投影することによって画像を形成している。これらの光源としては高圧水銀ランプ等が用いられるが、該ランプの信頼性を確保するために、冷却ファンにて十分な冷却を行いつつ使用する必要がある。また、プロジェクタの電源をオフする際にも、光源を十分に冷却した後に行う必要がある。
【０００４】
そのため、従来のプロジェクタにおける光源冷却用のファン冷却制御方法として、プロジェクタのランプが点灯している期間中は無条件に冷却ファンを動作させる方法や、プロジェクタのランプを消灯した後、一定期間だけ冷却ファンを動作させる方法、またはその組み合わせ等が知られている。なお、発明者は、上記の技術に関する文献を知らない。
【０００５】
【発明が解決しようとする課題】
しかしながら、ランプ及び周辺デバイスの信頼性確保のため、プロジェクタの電源スイッチ（SW）オフ後にも、ランプ消灯後にランプの温度が低下するまでファンにより冷却する必要があるため、所定時間は電源が切れない。電源SWオフ後の冷却期間としてはおよそ3分から5分程度のものが多い。従って、例えば会議において使用したプロジェクタの電源を会議終了後にオフとする場合、ユーザは安全確認のため、実際に電源が切れるまで上記所定時間は待機せざるをえず、退出することができなかった。
【０００６】
本発明は上述した問題を解決するためになされたものであり、投射型表示装置の使用終了時に、光源冷却に対する安全確認を容易とし、電源オフまでのユーザの待機時間を軽減することを目的とする。
【０００７】
【課題を解決するための手段】
上記目的を達成するための一手法として、本発明は以下の工程を備える。
【０００８】
すなわち、光源からの光を光変調素子に照射し、その反射または透過光を投射レンズを介して投影することによって表示を行う投射表示手段と、前記光源を冷却する冷却手段と、装置全体の電源オフを指示する電源スイッチ手段と、前記電源スイッチ手段による電源オフの指示に応じて前記光源用の電源をオフとする光源スイッチ手段と、ネットワークを介して電子メールの送受信を行う通信手段とを有する投射型表示装置における光源冷却制御方法であって、前記光源近傍の温度を検出する温度検出工程と、前記電源スイッチ手段によって前記光源用の電源がオフされてからの経過時間を計測する時間計測工程と、前記経過時間が所定時間経過した後の前記温度検出工程で検出された検出温度に基づいて、前記冷却手段による前記光源の冷却が正常終了したのか異常終了したのかを判断し、正常終了したと判断した場合には、正常終了した旨を示すメッセージを所定の宛先に送信し、異常終了したと判断した場合には、異常終了した旨を示すメッセージを前記所定の宛先に送信する送信工程であって、所定時間の経過後に、前記検出温度が所定値以下であれば前記冷却手段による前記光源の冷却が正常終了した旨を示す第１のメッセージを送信し、所定値以下でなければ前記光源の冷却が異常終了した旨を示す第２のメッセージを送信する送信工程と、前記送信工程において前記第２のメッセージを送信した後に、該送信先からの開封確認が受信できなかった場合に警報を発する警報工程とを有することを特徴とする。
【０００９】
【発明の実施の形態】
以下、本発明に係る一実施形態について、図面を参照して詳細に説明する。
【００１０】
＜第１実施形態＞
本実施形態においては、会議において使用した投射型表示装置（以下、プロジェクタと称する）の電源を会議終了後にオフとした場合に、ユーザが安全確認のためにその場に待機する必要を軽減したことを特徴とする。
【００１１】
図１は、本実施形態に係る投射型表示装置（以下、プロジェクタと称する）D1の構成を示す図である。本実施形態では、光変調素子としてR,G,B各色表示対応の3枚の液晶パネル2R，2G，2Bを用い、これら3枚の液晶パネル2R，2G，2Bはクロスプリズム7に対向する位置に配置する。なお、本実施形態では液晶パネル2R，2G，2Bとして、TFTを用いて駆動するTN液晶パネルを用いた。また、各液晶パネル2R，2G，2Bを挟み込むように、その両側には偏光板8をそれぞれ配置し、クロスプリズム7の光出射側には投射レンズ9やスクリーン（被投射部材）6を配置した。
【００１２】
また、ランプ（光源）1を囲むように放物型のリフレクタ10を配置することによって、ランプ1からの出射光が平行光束に変換される。なお、このリフレクタ10は放物型に限らず、楕円型として集光光束へ変換するようにしても良い。また、ランプ1としては、メタルハライドランプやキセノンランプなどを用いることができる。
【００１３】
また、ハエの目インテグレータ40，41を、ランプ1から出射された光の光路上に配置し、液晶パネル2R，2G，2Bと共役な関係としたことにより、光源の不均一性が改善される。
【００１４】
ハエの目インテグレータ40，41の光出射側には、リレーレンズ11，ミラー12を順に配置した。さらに、2枚のダイクロミラー13，14を配置して、ランプ1からの出射光を3つに分岐し、リレーレンズ15やミラー16，17，18を配置して各液晶パネル2R，2G，2Bに導く。なお、19はフィールドレンズを示す。
【００１５】
ランプ1には、ランプ用の電源を供給するためのバラスト57を接続し、ランプ1の近辺に温度センサ101および冷却ファン102が配置される。
【００１６】
図２は、プロジェクタD1における制御部200の機能構成を示すブロック図である。同図に示されるように、上述した液晶パネル2R，2G，2Bには映像信号入力部3等が接続され、温度センサ101にはCPU63が、冷却ファン102にはファン制御部110が接続される。また、バラスト57には電源58及びバラスト制御部109が接続される。
【００１７】
映像信号入力部3において、30はスイッチ、31はA/Dコンバータを示す。また、32はDSP部、33は現状の表示データと次のフレームで表示するデータ等を保持するメモリ、34はタイミング発生回路（TG）、35はD/Aコンバータ、36は各液晶パネルに印加する信号と電源を供給するドライバ回路、をそれぞれ示す。
【００１８】
また、50はPC入力端子、51はNTSC入力端子を示す。なお、図２においてはアナログ入力信号のみが記載されているが、本発明はそれに限らず、LVSD、TMDS等の入力端子や、デジタルTV用D3端子等を設けても有効であることは言うまでもない。
【００１９】
また、52は信号処理回路であり、NTSC信号のデコードやノイズ低減処理、帯域制限フィルタリングおよび信号レベル調節等の信号処理を行う。53は音声入力端子、54は音声切換スイッチ、55は音声処理回路（AMP）、56はスピーカーを示す。また、57はランプ1に接続されるランプ用の電源であるバラスト、58はシステム電源、59はスタンバイ電源、60はACインレットを示す。61は本プロジェクタにおける種々の操作を行うためのリモコン、62はリモコン61の信号を受信する制御パネルを示す。
【００２０】
また、63はCPU、64はROM、65はRAMを示す。このCPU63は、上述した映像信号入力部3、制御パネル62、バラスト制御部109、温度センサ101、冷却ファン制御部110、電源SW検出部107、タイマ104、通信制御部105等に接続されており、液晶パネル2R，2G，2Bやランプ1等の駆動制御や、メールの送受信制御、及び光源の冷却制御等を行う。さらに、107は電源SW検出部、108はシステム電源制御部、109はバラスト制御部、110はファン制御部である。
【００２１】
また、111は会議情報記憶部、112は電子メールソフト記憶部、114はメールソフト制御部、115は開封確認要求付加部、116はメール送信文記憶部、117はメール解読部、118はメール受信検出部、121は表示制御部、122は会議情報取得制御部、123は表示メッセージ記憶部である。通信制御部105は通信I/F106を介してLAN201に接続され、会議管理サーバ202より後述する会議情報を取得する。
【００２２】
なお、DSP部32では、コントラスト、ブライト調整や解像度変換等の表示画像処理が行われる。
【００２３】
本実施形態においては、タイマ104や通信制御部105、通信I/F106、電源SW検出部107、システム電源制御部108、バラスト制御部109、ファン制御部110、会議情報記憶部111、電子メールソフト記憶部112、メールソフト制御部114、開封確認要求付加部115、メール送信文記憶部116、メール解読部117、メール受信検出部118、表示制御部121、会議情報取得制御部122、表示メッセージ記憶部123等がCPU63に接続されるものとして説明したが、これらをCPU63に内蔵したり、プログラムによって実行するように構成してもよい。
【００２４】
以下、図２を参照して本実施形態における動作について説明する。
【００２５】
制御部200のACインレット60が不図示のAC電源に接続されている状態では、スタンバイ電源59より主制御部120に電源が供給されている。主制御部120は、電源SW103、電源SW検出部107、CPU63、ROM64、RAM65から成り、電源SW103がオフの状態でもスタンバイ電源59より電源が供給され、動作可能な状態となっている。
【００２６】
ここで、例えば会議の開始時に、プロジェクタD1を使用するために電源SW103をオンすると、その旨が電源SW検出部107により検出される。電源SW103のオンが検出されると、システム電源制御部108はシステム電源58をオンさせ、プロジェクタD1の制御部200全体に電源を供給する。また、バラスト制御部109はランプ用電源であるバラスト57をオンとし、ランプ1に電源を供給する。CPU63は、表示制御部121により映像信号処理部3に対して各種設定を行い、これにより、PC入力端子50やNTSC入力端子51より入力される映像の表示や、音声入力端子53等から入力される音声の出力がなされる。
【００２７】
本実施形態におけるプロジェクタD1は、通信I/F106を介してLAN201上の会議管理サーバ202に接続される。制御部200内の会議情報取得制御部122は、会議管理サーバ202より後述する会議情報を取得する。ここで、通信制御部105はTCP/IP等の通信プロトコルの制御を行い、通信I/F106は10Base-T等の通信I/Fを備えるとする。
【００２８】
会議管理サーバ202には会議情報として、会議室毎に管理者名が登録されており、例えば会議室を予約する場合、予約者は個々のPC（不図示）より会議管理サーバ202へLAN201等を介してアクセスし、予約対象の会議室、使用開始/終了時間、予約者のメールアドレス等を入力する。本実施形態におけるプロジェクタD1の電源オフ時の光源冷却制御は、会議管理サーバ202に登録された会議情報に基づいて行われる。
【００２９】
ここで図４に、会議管理サーバ202に登録された会議情報400の一例を示す。会議情報400としては、会議室名401、管理者名402、管理者のメールアドレス403、現在の日付404、現在の時刻405、予約者名406、予約者のメールアドレス407、予約日408、予約開始時刻409、予約終了時刻410が記憶されている。これらの会議情報400が会議管理サーバ202に記憶され、各々の会議室の予約管理が行われる。
【００３０】
以下、ある会議にてプロジェクタD1が使用される際の、本実施形態における制御について説明する。
【００３１】
まず図５を参照して、本実施形態のプロジェクタD1において会議情報400を取得する動作を説明する。
【００３２】
会議開始時に、電源SW103が押されたことを電源SW検出部107が検出すると（S501）、CPU63は会議情報取得制御部122により通信制御部105に対して、会議サーバ202から会議情報400を取得するように命令する（S502）。通信制御部105は、会議情報取得制御部122の命令に従い、会議サーバ202より会議情報400を取得し（S503）、CPU63に接続された会議情報記憶部111に会議情報400を記憶する（S504）。会議情報400を取得した後は、通信制御部105は通信I/F106を介して会議サーバ202に接続された通信を切断する（S505）。
【００３３】
会議情報記憶部111に記憶された会議情報400には、予約者および管理者のメールアドレス403，407が含まれているが、本実施形態ではこれらのメールアドレスを用いて光源冷却制御を行うことを特徴とする。
【００３４】
なお、ここではプロジェクタD1側から会議情報400を取得する例について説明したが、会議予約サーバがプロジェクタD1に対して会議情報400を送信する様にしてもよい。
【００３５】
以下、本実施形態における電源オフ時の光源冷却制御について、図３のフローチャートを参照して説明する。
【００３６】
上述したようにして会議情報400を取得した会議において、プロジェクタD1の電源オン中には冷却ファン102が動作し、これによってランプ1および電源57周辺の冷却がなされている。
【００３７】
そして例えば会議の終了後に、電源SW103によりプロジェクタD1の電源オフが指示された旨を電源SW検出部107にて検出すると（S301）、CPU63はバラスト制御部109に対してバラスト57からランプ1への電源供給の停止を指示し（S302）、ランプ1がオフされる。するとファン制御部110は冷却ファン102の回転数を上げ、冷却能力を大きくする（S303）。
【００３８】
次に、バラスト57をオフしてからの経過時間をタイマ104にて測定し、5分経過した時点で（S304）、温度センサ101によりランプ1の周辺温度が40℃以下であるか否かを確認する（S305）。40℃以下であれば（S306）、メールソフト制御部114は電子メールソフト記憶部112に記憶されたメールソフトを起動し、会議情報記憶部111に記憶された予約者のメールアドレスへ、メール送信文記憶部116に記憶されている「プロジェクタが正常終了しました」というメッセージを電子メールにて送信し（S307）、メールソフト制御部114によってメールソフトを終了させた後、ファン制御部110により冷却ファン102を停止させる（S308）。そしてシステム電源制御部108により、プロジェクタD1のシステム電源58をオフにする（S309）。
【００３９】
一方、ランプ周辺温度が40℃以下でない場合には（S306）、メールソフト制御部114により電子メールソフト記憶部112に記憶されたメールソフトを起動した後、会議情報記憶部111に記憶されている予約者および管理者のメールアドレスへメール送信文記憶部116に記憶されている「プロジェクタが異常終了しました」というメッセージを電子メールにて送信する（S310）。その際、開封確認要求付加部115により電子メールに開封確認の要求を付加する。
【００４０】
そして、メールを受信した管理者または予約者より、開封確認の通知が返却され、メール受信検出部118によりメールを受信した旨を検知すると、メール解読部117により送付されたメールのアドレスが会議情報記憶部111に記憶されている管理者または予約者のもであるかを比較し、管理者または予約者のアドレスと同じであれば、開封確認通知を予約者または管理者より受信したと判断する（S311）。そして、ファン制御部110により冷却ファン102を回転させたままの状態で、予約者または管理者による対処が得られるまで待機する。
【００４１】
ここでタイマー104の測定により30分経過後も開封確認通知が来ない場合には（S311）、アラーム発生部119よりAMP55に対して指示を行うことによって、スピーカ56からアラーム音を発生する（S312）。
【００４２】
なお、異常終了の場合（S310以降）は、冷却ファン102を停止させ、かつシステム電源58をオフにしてから、予約者または管理者の対処を待つようにしても良い。
【００４３】
以上説明したように本実施形態によれば、ランプの消灯、電源及びファンの制御、及び電子メールによる通知が最適に制御されるため、プロジェクタD1の使用終了後にユーザは会議室にて待機している必要がない。
【００４４】
また、ランプが消灯しない等の異常が発生した場合は、会議室の予約者のみならず、会議室管理者にも通知メールが送信され、さらに、該通知メールが受信されない場合であってもアラームによって警告を発生するため、安全性が保証される。
【００４５】
また、予約者および管理者のメールアドレスを会議管理サーバ202より取得するため、会議情報の一元管理が可能となるうえ、メールアドレスを会議の度に登録する必要がないため、会議室の効率的な利用が可能となる。
【００４６】
＜第２実施形態＞
以下、本発明に係る第２実施形態について説明する。第２実施形態におけるプロジェクタの構成及び動作は、上述した第１実施形態と同様であるから、ここでは詳細な説明を省略する。
【００４７】
第２実施形態においては、上述した第１実施形態において会議予約者がプロジェクタD1の電源SW103をオフすることを忘れてしまった場合においても、安全なランプの冷却制御を実現することを特徴とする。以下、第２実施形態における光源冷却制御について、図６のフローチャートを参照して説明する。
【００４８】
第１実施形態と同様に、会議開始時にプロジェクタD1の電源SW103がオンとされ、システム電源58が供給されると、通信I/F106を介して会議予約サーバ202に接続し（S601）、会議情報400を取得して会議情報記憶部111に記憶する（S602）。ここで図４に示すように、会議情報400には予約終了時刻410が含まれており、第２実施形態ではこれを用いて光源冷却制御を行うことを特徴とする。
【００４９】
そして、タイマ104にて、予約終了時刻410の5分前になったことを検出すると（S603）、表示メッセージ記憶部123より「あと5分で予約が終了になります。」という旨のメッセージを読み出し、表示制御部121により信号処理部3を介してパネル2R、2G、2Bに表示する。パネル2R、2G、2Bによる表示メッセージは、投射レンズ9を通してスクリーン6に表示される（S604）。
【００５０】
タイマ104により会議の予約終了時刻410に到達した旨を確認すると（S605）、表示メッセージ記憶部123より「終了時刻になりました。」という旨のメッセージを読み出してスクリーン6に表示すると同時に、会議サーバ202より次の会議情報400を取得し、時間的に連続した会議予約があるか否か確認する（S606）。予約がある場合はそのままプロジェクタ200の電源58をオンしておくが（S607）、予約が無い場合は、表示メッセージ記憶部123より「5分後にランプを消灯します。」という旨のメッセージを読み出してスクリーン6に表示する（S608）。そして5分が経過すると（S609）、「ランプを消灯します。」という旨のメッセージ表示を行った後、バラスト制御部109によりランプ用の電源であるバラスト57をオフにする（S610）。
【００５１】
その後は、上述した第１実施形態と同様に、ランプ近辺の温度に応じてファンの制御およびシステム電源のオフを行う（図３のS303へ）。
【００５２】
以上説明したように第２実施形態によれば、会議後にユーザが電源オフを忘れてしまった場合にも、光源の冷却制御を適切に行うことができる。
【００５３】
＜他の実施形態＞
なお、本発明は、複数の機器（例えばホストコンピュータ、インタフェイス機器、リーダ、プリンタなど）から構成されるシステムに適用しても、一つの機器からなる装置（例えば、ファクシミリ装置など）に適用してもよい。
【００５４】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５６】
【発明の効果】
以上説明したように本発明によれば、投射型表示装置の使用終了時に、光源冷却に対する安全確認が容易となるため、電源オフまでのユーザの待機時間が軽減される。
【図面の簡単な説明】
【図１】本発明に係る一実施形態におけるプロジェクタの構成を示す図である。
【図２】本実施形態における制御部200の機能構成を示すブロック図である。
【図３】本実施形態における電源オフ時の光源冷却制御を示すフローチャートである。
【図４】会議管理サーバに登録される会議管理情報の一例を示す図である。
【図５】本実施形態において会議情報400を取得する動作を示すフローチャートである。
【図６】第２実施形態におけるプロジェクタの電源制御を示すフローチャートである。
【符号の説明】
1  ランプ（光源）
2R，2G，2B  液晶パネル（光変調素子）
3  映像信号入力手段
57  バラスト
101  温度センサ
102  ファン
D1  プロジェクタ
【図１】
0004073020.tif 000002
【図２】
0004073020.tif 000003
【図３】
0004073020.tif 000004
【図４】
0004073020.tif 000005
【図５】
0004073020.tif 000006
【図６】
0004073020.tif 000007